Podtech/llm-jp-corpus-v4-ja_patent huggingface dataset:
(57)【要約】      （修正有）【課題】排ガス洗浄装置の内部と排出口の形状において、分離室の清掃が不用のものを提供する。【解決手段】充填材１６の代りに装置中央に翼形、分離室機１０を得けたことで目詰りが解消し排気が容易になる。【選択図】図１
0003115482.tif 000002
【実用新案登録請求の範囲】
【請求項１】
装置内の中心部に、翼形の分離室機を設けたことを特徴とする排ガス処理装置。
【請求項２】
大気放出口に、遠心排気ダクトを設け内部に湾曲板を有することを特徴とする請求項１記載の、排ガス処理装置放出口に、遠心強制排気ダクト。
【考案の詳細な説明】
【技術分野】
【０００１】この考案は、排ガス洗浄装置の内部と排出口の形状に関する。
【背景技術】
【０００２】従来の排ガス洗浄装置は、充填材方式の形状は図４に示す。１４の部分は図１の中央部１０と図１の排出口に１４の強制排気ダクトを設ものである。
【考案の開示】
【考案が解決しよとする課題】
【０００３】しかしながら、以上の技術によれば、充填部分の目詰りが発生し排ガスの通過が困難になり清掃を、頻繁に行うことになる。
そこで、この考案は、分離室部分の清掃が不用のものを提供することを課題とする。
【課題を解決するための手段】
【０００４】  以上の課題を解決するために、第一考案は、装置中央に、翼形、分離室機を得けたことを特徴とする翼形、分離室式、排ガス洗浄装置である。
また第二考案は、排ガス洗浄装置本体の排出口１４に設けた、遠心強制ダクトである。
【考案の効果】
【０００５】        第１考案、また第２考案によれは、排ガス洗浄装置に翼形、分離室機を設けたことで分離室部分の目詰りがなく排気が容易である、排気口１４の遠心強制ダクトを設けたことで、ガス排出が容易になる。
【考案を実施するための最良の形態】
【０００６】  この考案の一実施形態を、図１に示す
分離室式排ガス洗浄装置本体１は硬質の樹脂製であり、この本体の中央に分離室９が設けられている。この９は翼形の分室が多数有する。排気口１４は湾曲板が設けている。【０００７】「実施形態の効果」
この実施形態によれは、圧損が少ない翼形の、羽根で分離室を多く設けた、個々の出口に有する高圧スプレー噴射で完全中和する。排気口に遠心強制排気ダクトを設けたことで排気も容易なる【０００８】「他の実施形態」
図１の実施形態では、円板状に翼形の、分離室１２室有するが、他の実施形態では、円板状の円と高さを変えて分離室を多く設けたものでも良い。
【図面の簡単な説明】
【０００９】
【図１】  この考案の一実施形態を示す縦断正面図ある。
【図２】  １図のＡ−Ａ矢視断面図である。
【図３】  １図のＢ−Ｂ矢視断面図である。
【図４】  従来技術を示す縦断図である。
【符号の説明】
【００１０】  １    排ガス洗浄装置本体            ２    洗浄液入口
３    高圧噴射ノズル                ４    上下仕切板
５    排ガス流入口                  ６    排ガス
７    洗浄液                        ８    分離室入口
９    分離室                        １０  翼形、分離室機
１１  シャワースペレー              １２  洗浄液供給管
１３  清浄ガス                      １４  強制遠心排気ダクト
１５  湾曲板                        １６  充填材槽
１７  洗浄液戻り管
【図１】
0003115482.tif 000003
【図２】
0003115482.tif 000004
【図３】
0003115482.tif 000005
【図４】
0003115482.tif 000006
【手続補正書】
【提出日】平成17年6月27日(2005.6.27)
【手続補正１】
【補正対象書類名】実用新案登録請求の範囲
【補正対象項目名】全文
【補正方法】変更
【補正の内容】
【実用新案登録請求の範囲】
【請求項１】
装置内の中芯部に、翼形の分離室機を設けたことを特徴とする排ガス処理装置。
【請求項２】
放置排出口に、内部に湾曲板を備えたことを特徴とする請求項１記載の排ガス処理装置。
(57)【要約】【課題】ペット洗浄時に、ペットを動きにくくすると同時に洗浄の能率を良くし時間、労力、資源の無駄を省く。【解決手段】ゴム紐又は紐（長さを調節できる仕様のものとする）１とネット（又はネットタオル）部分２を繋ぎ合わせることにより、ハンモック状とした。ペットの脚を入れるための２ケ所又は４ケ所の孔３を設けてもよい。ネット（又はネットタオル）部分２でペットを洗う事により、ペットの固定と洗浄が同時に行える。【選択図】  図３
0003115487.tif 000002
【実用新案登録請求の範囲】
【請求項１】
ゴム紐又は紐（長さを調節できる仕様のものとする、以下同様）の両端をネット（又はネットタオル、以下ネットとした場合ネットタオルも含む）に繋いでハンモック状としたペット洗浄用のシャワーネットバンド。ゴム紐又は紐の部分を首又は肩などに掛けて、ネット部分にペットを入れ（乗せ）てシャワー中にペットが動かないようにしながら、洗うことができる。
【請求項２】
請求項１におけるネットに２ケ又は４ケの孔を開けてペットの脚を入れ、シャワー中にペットが動かないようにする場合も範囲とする。
【考案の詳細な説明】
【考案の詳細な説明】
【考案の解決しようとする課題】
【０００１】ペットをシャワーで洗浄する時には、片手でペットを抑えながら、もう一方の手で洗うので、ペットが動き廻って洗いにくいなどの点が大きな課題であった。そのために、かなりの時間と労力を要した。ペットを洗浄する者にとっては、腰を屈める姿勢を続けるので腰に負担が懸る。さらに、ペットの眼に湯水やシャンプーが入りやすい。よって、洗浄中にペットを動きにくくすると同時に、洗浄の時間も短縮することができれば、人間とペット双方の負担を大幅に減らすこととなる。又、洗いむらを少なくし、湯水やシャンプーをより効率的に使用するという課題もかなり改善される。
【課題を解決するための手段】
【０００２】ゴム紐又は紐１の両端にネット部分２を繋いでハンモック状とする。洗浄者は、ゴム紐又は紐１を洗浄者の首や肩に掛け、ネット部分２でペットの体を挟み込むようにすることにより、ペットを動きにくくすることができる形状である。このとき
【請求項２】
のように、ネット部分２にペットの脚を入れるための孔３を設けた場合には、さらに洗浄者にペットをしっかり固定することができる。同時に、ネット部分２によってペットを洗う手段とすることも可能である。
【考案の効果】
【０００３】洗浄者にとっては、ペットが洗浄中に動き廻らなくなり、洗浄の時間や労力が軽減できる。又、ネット部分２でシャンプーを泡立て、ペットを挟み洗いすることにより、迅速かつ丁寧にペットの洗浄ができる。湯水やシャンプーも効率的に使う事が出来る。
【請求項２】
を採用すれば、さらにペットを固定することができる。以上の様に、時間、労力、資源の無駄を省く効果がある。
【図面の簡単な説明】
【図１】孔が２ケの場合のペット用シャワーネットバンドを示した平面図である。
【図２】孔が４ケの場合のペット用シャワーネットバンドを示した平面図である。
【図３】［図１］のペット用シャワーネットバンドの使用例を示した立面図である。
【図４】［図２］のペット用シャワーネットバンドの使用例を示した立面図である。
【符号の説明】
１  ゴム紐又は紐（長さを調節できる仕様のものとする）
２  ネット（又はネットタオル）部分
３  孔（ペットの脚を入れる）
【図１】
0003115487.tif 000003
【図３】
0003115487.tif 000004
【図４】
0003115487.tif 000005
【手続補正書】
【提出日】平成17年7月28日(2005.7.28)
【手続補正１】
【補正対象書類名】実用新案登録請求の範囲
【補正対象項目名】全文
【補正方法】変更
【補正の内容】
【実用新案登録請求の範囲】
【請求項１】
ゴム紐又は長さを調節できる仕様の紐の両端をネット又はネットタオルに繋いでハンモック状としたペット洗浄用のシャワーネットバンドであって、ゴム紐又は長さを調節できる仕様の紐の部分を洗浄者の首や肩などに掛けて、ネット又はネットタオル部分にペットを乗せる若しくは入れて、シャワー中のペットが動かないようにしながら、ペットを洗うことができるペット用シャワーネットバンド。
【請求項２】
請求項１におけるネット又はネットタオルに２ケ又は４ケの孔を開けてペットの脚が入るようにして、シャワー中のペットが動かないようにしながら洗うことができるペット用シャワーネットバンド。
【手続補正２】
【補正対象書類名】図面
【補正対象項目名】図１
【補正方法】変更
【補正の内容】
【図１】
0003115487.tif 000006
【手続補正３】
【補正対象書類名】図面
【補正対象項目名】図２
【補正方法】変更
【補正の内容】
【図２】
0003115487.tif 000007
(57)【要約】【課題】  冷蔵庫及び冷凍室に、食品を入れて保存する樹脂の保存容器に、文字を書いたり消したりできるメモ欄を設け、透明フイルムで、書いた文字がすれて消えないようにカバーができる保存容器を提供する。【解決手段】  保存容器にメモ欄１を設け、メモ欄に書いた文字がすれて消えないように、透明フイルムカバー２をかぶせることができることを特徴とする。【選択図】  図１
0003115489.tif 000002
【実用新案登録請求の範囲】
【請求項１】
容器フタ５及び容器本体４の側面に、メモ欄１を印刷して透明フイルムカバー２の固定部３を、熱で接着して取り付けた保存容器。
【請求項２】
請求項１の固定部３を、接着剤で接着して取り付けた、請求項１の保存容器。
【請求項３】
容器フタ５に固定部突起６を設け、透明フイルムカバー２の片面に固定部突起６にあった穴をあけ、この穴を固定部突起６にはめ込んで取り付けた、請求項１の保存容器。
【考案の詳細な説明】
【技術分野】
【０００１】  この考案は、容器に書いたり消したりできるメモ欄を設け、透明フイルムで消えないようにカバーができる、保存容器に関するものである。
【背景技術】
【０００２】  従来、保存容器に直接メモを、書いたり消したりすることは難しかった。
【考案の開示】
【考案が解決しようとする課題】
【０００３】  これまでは次のような問題点があった。
食品を入れた容器を冷凍室に入れ保存していると、食品が凍結して、日数が過ぎると、容器の中に何の食品を保存しているのか、いつから保存しているのかが分からなくなる。また、冷蔵庫に、食品を入れた保存容器を積み重ねたとき、側向から中に何が入っているのかが分からない。
上記の欠点を無くすため、一般的に紙に書いたメモをセロテープで容器に貼り付けていた。しかし、この方法では一回ごとに書いて貼り付け、破って捨てなければならなかった。
本考案は、以上のような欠点を無くすためになされたものである。
【課題を解決するための手段】
【０００４】  印刷したメモ欄を設けて、透明フイルムカバーでメモがすれて消えないようにする。
以上の構成よりなる保存容器である。
【考案の効果】
【０００５】  保存容器に、メモ、日付等が直接書いたり消したりでき、透明フイルムカバーをかぶせることで、書いた文字がすれて消えるのを防ぐことができる。
【考案を実施するための最良の状態】
【０００６】  以下、本考案の実施例について説明する。
一般的に、食品を入れる容器の原料には半透明のポリプロピレンとポリエチレンが使われている。この容器のフタ５及び容器本体４の側面に、メモ欄１を白く印刷し品名とか月日等を黒く印刷する。このメモ欄１にホワイトボードペンか水性のマジックでかくと簡単に書いたり消したりできる。そして、書いた文字が消えないように透明フイルムカバー２をかぶせる。消すときは、布、紙等で拭くか、水で洗い流すことができる。
また、紙に書いたメモを透明フイルムカバー２の下に差し込むこともできる。
【図面の簡単な説明】
【０００７】
【図１】本考案の斜視図である。
【図２】本考案の固定部の斜視図である。
【符号の説明】
【０００８】    １  メモ欄
２  透明フイルムカバー
３  固定部
４  容器本体
５  容器フタ
６  固定部突起
【図１】
0003115489.tif 000003
【図２】
0003115489.tif 000004
(57)【要約】      （修正有）【課題】ネックレス本体の留め具のずれを防止する。【解決手段】１短いチェーンの一端に、従来のネックレスに着脱自在にできることを特徴とする３引き輪を付設し、他端に２クリップを付設し衣服を挟んで留め具のずれを防止し、且つ紛失も防止する。【選択図】図１
0003115486.tif 000002
【実用新案登録請求の範囲】
【請求項１】
装着中のネックレスやペンダントの本来後ろにあるべき留め具が、体の動きなどによって前にずれてくることを防止する為、短いチェーンの一端に引き輪と他端に衣服に挟んで固定する為のクリップを付設し、ネックレス本体に着脱自在にしたところを特徴とするネックレスのとめ留め具ずれ防止装着具。
【考案の詳細な説明】
【技術分野】
【０００１】  本考案は、ネックレス本体に着脱自在に使用できることを特徴とする、ネックレスの留め具のずれを防止する装着具であり、装身具に関する。
【背景技術】
【０００２】  従来から、ネックレスを装着中、体の動きや留め具の重さなどにより、本来首の後ろにあるはずの引き輪などの留め具が気がつくと首の前にまわってしまっていた。
【考案の開示】
【考案が解決しようとする課題】
【０００３】  従来のネックレスは体の動きや留め具の重さなどにより、後ろにあるべき留め具が自由に動いてしまっていたが、従来のネックレスを全て作り直すことは困難と考え、ネックレス本体に着脱自在である装着具を考案し、ネックレス本体の留め具を前にずれることを解決しようとするものである。
【課題を解決するための手段】
【０００４】  本考案は、短いチェーンの一端に引き輪など、どのネックレス本体とも繋げる着脱可能とする引き輪などの留め具を取り付けて、その短いチェーンでネックレス本体の長さを調節することができ、且つ他端に小さいクリップを取り付け、衣服の襟やタッグなどを挟み、従来のネックレス本体の留め具が装着時に前にずれてしまう問題点を解決している。
【考案の効果】
【０００５】  上述の様に、本考案のネックレスずれ防止着具は、着脱自在を特徴とし、従来のネックレス本体の長さを調節することができ、ネックレス本体の留め具がずれないことは勿論、クリップにより衣服に挟んで固定できる為にネックレス本体を落としてしまわない紛失防止にも役立つ。
【考案を実施するための最良の形態】
【０００６】  ネックレスずれ防止装着具の短いチェーンは、長さを調節することも可能にするアジャスターの役目も兼ねる為、輪の連続した形状のチェーンが望ましく、着脱自在の為の一端に引き輪などの留め具を取り付け、他端のクリップは衣服が傷つきにくい平坦なかみ合せのものを取り付け、従来のいろいろなネックレスに容易に着脱可能できるものとし、クリップも衣服を傷めずに容易に挟める形状のものとする。
【実施例】
【０００７】  以下、添付図面に従って一実施例を説明する。３の引き輪を使い、ネックレス本体のプレート部分にの４のようにネックレスずれ防止装着具を繋げる。アジャスターの役目も兼ねる１チェーンに、ネックレス本体の引き輪を５のように留めてネックレス本体を装着する。２のクリップを使い、６のように衣服の裏のタグを挟んで固定する。【０００８】  ３の引き輪を使い、ネックレス本体のプレート部分にの４のようにネックレスずれ防止装着具を繋げる。２のアジャスターの役目も兼ねるチェーンにネックレス本体の引き輪を長さを調節し５のように留めてクリップの装飾性を生かし、衣服の表にはさんで装身具として使用する。
【図面の簡単な説明】
【０００９】
【図１】本考案ネックレスずれ防止装着具の正面図と一部側面図
【図２】本考案ネックレスずれ防止装着具の装着例
【符号の説明】
【００１０】  １  チェーン
２  クリップ
３  引き輪
４  ネックレス本体と繋げた部分
５  ネックレス本体を繋げた部分
６  クリップで衣服を挟んだ部分
【図１】
0003115486.tif 000003
【図２】
0003115486.tif 000004
(57)【要約】【課題】  本考案は、筆記具を用いる際、書く動作から消す動作に移行する動作及びまた書く動作に戻る動作等の効率を高める。指サック及び指リング等に消しゴム等字消し具を装着することで、指に字消し具を装着することを可能にする。【解決手段】  本考案は、指サック及び指リング等５に、消しゴム等字消し具６を装着する。本字消し具付き指サック及び指リングを指に装着することで、指に字消し具を装着できるので、筆記の際、書く動作から消す動作に移行して、また書く動作に戻る為の作業を少なくし、勉強や仕事、特に筆記試験等の効率を高め、所要時間を短縮することができる。また体への負担が少なくなるので、高齢者等が筆記する際にも役に立つ。【選択図】  図１
0003115479.tif 000002
【実用新案登録請求の範囲】
【請求項１】
ゴムやシリコンゴム、プラスチック、金属、布、紙等適宜素材を用いて、Ｏ型やＣ型等のリング状、及びサック状等適宜形状に形成した指サック及び指リング等５に、５を手の指にはめた際、指先から指の腹にあたる部分等の適宜な部分に、直方体、円柱等適宜形状の消しゴム等字消し具６を装着した、字消し具付き指サック及び指リング。
【請求項２】
請求項１の指サック及び指リング等５と、字消し具６を一体化し、５、６を消しゴム等字消し具等で形成した、請求項１の字消し具付き指サック及び指リング。
【考案の詳細な説明】
【技術分野】
【０００１】  本考案は、指サック及び指リング等に消しゴム等字消し具を装着することで、指に消しゴム等字消し具を装着させることを可能にした、字消し具付き指サック及び指リングである。
【背景技術】
【０００２】  筆記具で書きながら消しゴムを使用する際、従来は、脇等に置いてある消しゴム等字消し具を手に取って消したり、筆記具の末端に装着してある消しゴム等字消し具を、筆記具を上下回転させて使用する等していた。しかし、手の指に、字消し具付き指サック及び指リングを装着し、字消しの作業に要する手間と所要時間を少なくさせる器具はなかった。
【考案の開示】
【考案が解決しようとする課題】
【０００３】  従来の単体の消しゴム等字消し具や筆記具の末端に装着した消しゴム等字消し具等は、書く動作から消す動作に、更には再び書く作業に戻るのに必要とする手間が多く、時間がかかり不便だった。しかし、手の指に、字消し具付き指サック及び指リングを装着すれば、消したい部分に字消し具を当てて指先を動かすだけで、又は親指を添えて字消し具を動かす作業で、速やかに容易に消すことができる。従って、指サック及び指リング等５に消しゴム等字消し具６を装着することで、前述の欠点を解決するものである。
【課題を解決するための手段】
【０００４】  本考案は、指サック及び指リング等５に消しゴム等字消し具６を装着し、手の指に本字消し具付き指サック及び指リングを装着することで、所要時間を掛けずに少ない動作で、文字等を消す作業ができ、前述の欠点を解決するものである。
【考案の効果】
【０００５】  上述の様に、本考案の字消し具付き指サック及び指リングは、指サック及び指リング等に消しゴム等字消し具が装着されている為、指サック等を手の指に装着することで、消しゴム等字消し具を指に装着することができ、筆記具を用いる際、書く動作から消す動作に移行する動作、更に書く動作に戻る等に必要とする様々な動作を少なくできる。その為、授業時や仕事時等の記述や、特に筆記試験や連記の際に、書く動作や消す動作の所要時間を短縮させ、勉強や仕事等の効率を高めることができる。また、作業が少なくなるので、高齢者等が筆記する際にも役に立つ。
【考案を実施するための最良の形態】
【０００６】  指サック及び指リング等５は、ゴムやシリコンゴム、プラスチック、金属、布、紙等適宜素材を用いて、指に装着できるようにＯ型及びＣ型のリング状、又はサック状等適宜形状に形成する。指サック等５を指にはめた際、指先から指の腹にあたる部分等の適宜な部分に、消しゴム等字消し具６を装着する。消しゴム等字消し具６は、直方体、円柱等適宜形状に形成する。又、指サック及び指リング等５と字消し具６を一体化して、５、６を消しゴム等字消し具等で形成することも可能である。
【実施例】
【０００７】  以下本考案を限定することを目的としない、本考案の実施例を、添付図面１、２、３に従って説明する。本実施例は、Ｏ型のリング状の指サック５にやや薄い直方体の消しゴムを装着した場合である。まず、指サック等５は、ゴムやシリコンゴム等適宜素材を用いて、Ｏ型のリング状に形成する。指サック等５を指にはめた際、指の腹にあたる部分に、消しゴム等字消し具６を装着する。６は、やや薄い直方体である。【０００８】  本字消し具付き指サック及び指リングを、筆記具を持つのと同じ手の第３指（中指）や第４指（薬指）等適宜な指に装着し、消す作業を行う場合には、消したい字等に字消し具を当てて、本字消し具付き指サック及び指リングを装着する指を動かすか、第１指（親指）を添えて字消し具を動かすだけで、字消しの作業を行うことができ、そのまますぐに書く作業をまた続けて行うことができる。【０００９】  本考案の一実施例は上述の如き構成からなるものであるから、消しゴム等字消し具を指に装着することができる、字消し具付き指サック及び指リングを可能にした。
【図面の簡単な説明】
【００１０】
【図１】字消し具付き指サック及び指リングの実施例の使用例の斜視図
【図２】字消し共付き指サック及び指リングの実施例の斜視図
【図３】字消し具付き指サック及び指リングの実施例の上面図
【符号の説明】
【００１１】  ５  指サック及び指リング等
６  消しゴム等字消し具
【図１】
0003115479.tif 000003
【図２】
0003115479.tif 000004
【図３】
0003115479.tif 000005
(57)【要約】      （修正有）【課題】要介護者が入浴時、脱衣所が狭く着替えを別室でするときに浴室間との移動に着脱が容易で身体を露出することがなく、着替え等の下着も人の目に触れずに持ち運ぶことを提供する。【解決手段】介護（助）用送迎バスタオルを頭から被りボタン４と輪になった紐で開閉することで着脱ができ、着替え等下着はポケットに収納することで人目に触れない構成とする。【選択図】図４
0003115472.tif 000002
【実用新案登録請求の範囲】
【請求項１】
介護（助）用送迎バスタオルであって前身ごろ１と後ろ身ごろ２で成り立ち各身ごろは肩部分８で前後の身ごろが縫合されて、両脇は開放していることを特徴とする。
【請求項２】
前身ごろ１の両脇にはボタン４を付け、後ろ身ごろ２の両脇には輪になった紐５を付けそれにより開閉ができることを特徴とする。
【請求項３】
後ろ身ごろ２には帽子３を付け髪を拭くことができることを特徴とする。
【請求項４】
前身ごろの裏６にはポケット７を備え着替え等下着を収納できることを特徴とする。
【考案の詳細な説明】
【技術分野】
【０００１】本考案は要介護者の入浴介護を容易にするための移動用バスタオルに関する。
【背景技術】
【０００２】従来、脱衣所は着替えをするには十分な広さがないため別室で着替えをし浴室に移動し入浴後は別室に戻って着替えをしている。それにより移動時にはバスタオル数枚で身体を覆っている。
【考案の開示】
【考案が解決しようとする課題】
【０００３】このため要介護者の手でバスタオルを押さえながら移動をするのが身体的な負担となり、不意な肌の露出を招く恐れが高かった。【０００４】したがって、本考案の解決すべき技術的課題は使用者が自らの手でバスタオルを押さえる必要が無く不意な肌の露出を防ぐことである。
【課題を解決するための手段・作用・効果】
【０００５】本考案に係る介護（助）用送迎バスタオルは上述の技術的課題を解決するため以下のように構成されたバスタオルで、要介護者のリハビリと介助者とのコミュニケ−ションを図ることができることを特徴としている。
【０００６】介護（助）用送迎バスタオルは前身ごろと後ろ身ごろで成り立ち前後の身ごろの色は極端に違う色にすることを特徴とする。認知症や高齢者等が使用する場合、例えば各身ごろの色の違いを話題等にして言葉を交わすことがリハビリにおいては重要で介助者とのコミュニケ−ションを効果的にする働きがある。
【０００７】介護（助）用送迎バスタオルは前後身ごろの肩の部分で縫合され両脇は開放し被ることで着脱をする。本考案のバスタオルは前身ごろの両脇にボタンを付け後ろ身ごろは布製のひもの輪を付けそれらにより開閉できる構成とする。
【０００８】本考案のバスタオルには装具（ボタン・ホック・ファ−スナ−等）は直接身体に触れるときの違和感を防ぐため少なく付けることを特徴としている。
【０００９】介護（助）用送迎バスタオルは前身ごろの裏下部分に着替え等の下着を収納するポケットを付ける構成とし、これにより使用者が着替え等の下着が人の目に触れることへの抵抗感を無くし精神面に負担がかからないことを特徴としている。
【００１０】介護（助）用送迎バスタオルの後ろ身ごろには帽子を備え髪を拭くことができる構成とする。
【考案を実施するための最良の形態】
【００１１】以下に本考案の実施形態について図１から図３を参照して詳細に説明する。【００１２】図１は介護（助）用送迎バスタオルの前正面図、図２は後ろ正面図である。介護（助）用送迎バスタオルは前身ごろ１と後ろ身ごろ２と帽子３からとなり各身ごろの肩部分８で縫合されている。肩部分は肩に沿う縫製とし着衣時に肩になじむ形で成形されている。【００１３】ボタン４と輪になった紐５とで介護（助）用送迎バスタオルを開閉する。ボタン４は大きめの目立つ色にすることが好ましい。【００１４】図３は介護（助）用送迎バスタオルの前身ごろ裏正面図で、裏前身ごろ６の下部にはポケット７があり着替え等の下着を収納することができる。
【実施例】
【００１５】以上のように構成された介護（助）用送迎バスタオルは頭から被りボタン４と輪になった紐５で開閉しポケット７に着替え等の下着を収納することで入浴介護を容易にすることができる。
【図面の簡単な説明】
【図１】本考案に係る介護（助）用送迎バスタオルの前身ごろ正面図である。
【図２】図１の後ろ身ごろ正面図である。
【図３】図１の裏前身ごろ正面図である。
【図４】本考案の実施例を示す正面図である。
【符号の説明】
１介護（助）用送迎バスタオルの前身ごろ
２本考案の後ろ身ごろ
３帽子
４ボタン
５紐の輪
６裏前身ごろ
７ポケット
８肩
【図１】
0003115472.tif 000003
【図２】
0003115472.tif 000004
【図３】
0003115472.tif 000005
【図４】
0003115472.tif 000006
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
介護（助）用送迎バスタオルであって前身ごろ１と後ろ身ごろ２で成り立ち各身ごろは肩部分８で前後の身ごろが縫合されて両脇は開放していることを特徴とする。
【請求項２】
前身ごろ１の両脇にはボタン４を付け、後ろ身ごろ２の両脇には輪になった紐５を付けそれにより開閉ができることを特徴とする請求項１記載の介護（助）用送迎バスタオル。
【請求項３】
後ろ身ごろ２には帽子３を付け、髪を拭くことができることを特徴とする請求項１記載の介護（助）用送迎バスタオル。
【請求項４】
前身ごろの裏６にはポケット７を備え着替え等下着を収納できることを特徴とする請求項１記載の介護（助）用送迎バスタオル。
(57)【要約】      （修正有）【課題】車椅子で使用するずれ落ちることなく尚かつ座る、立ち上がり離れる等の動作の妨げにならないひざ掛けを提供する。【解決手段】車椅子用ひざ掛けは上部左右両端にフック２を備え両開きとし、左右前布３、３’の重なる部分を深くし圧着テ−プを付け開閉する構成とする。４は、ポケット。【選択図】図５
0003115473.tif 000002
【実用新案登録請求の範囲】
【請求項１】
車椅子用のひざ掛けであって車椅子用ひざ掛けの上部左右両端にフック２を備え、車椅子用ひざ掛けは両開きとすることを特徴とする。
【請求項２】
上記車椅子用ひざ掛けは前布３と３’の重なる部分を深くとり前布３，３’の重なった部分に圧着テ−プ５を付け車椅子用ひざ掛けの開閉を簡易とすることを特徴とする。
【請求項３】
上記車椅子用ひざ掛けにはポケット４を備えることを特徴とする。
【請求項４】
上記車椅子用ひざ掛けを収納する収納袋６を設けることを特徴とする。
【考案の詳細な説明】
【考案の詳細な説明】
【技術分野】
【０００１】本考案は車椅子で使用するずれ落ちないひざ掛けに関する
【背景技術】
【０００２】従来、ひざ掛けは車椅子で使用するには移動時の振動等でずれ落ちる心配があり、座る、立ち上がる等の動作時はひざ掛けを一時的に置く場所を確保する必要があるなどの困難がある。
【考案の開示】
【考案が解決しようとする課題】
【０００３】このため介助者等はひざ掛けがずれ落ちないよう気を配る必要があり自動車に乗る、あるいはトイレの使用時など車椅子から離れる時にひざ掛けを一時的に置く場所の確保も必要である。公共の車椅子用トイレには手荷物を置く場所が確保されていない所が多く見受けられる。【０００４】したがって本考案の解決すべき技術的課題はひざ掛けがずれ落ちることなく車椅子の離着座の動作を妨げることがなく、ひざ掛けを一時的に置く場所を確保する必要がないようにすることである。
【課題を解決するための手段・効果】
【０００５】本考案に係る車椅子用ひざ掛けは上述の技術的課題を解決するため以下のように構成された車椅子用ひざ掛けで、ずれ落ちることなく座る、立ち上がる等の動作を妨げないことを特徴としている。
【０００６】本考案において車椅子用ひざ掛けの上部左右両端にフックを備え、車椅子に引っ掛けて固定させる。これによりひざ掛けはずれ落ちることなく安定し着脱を容易にすることで手間取ることがない。
【０００７】また上記構成においてひざ掛けは前部分を両開きとすることにより車椅子に装着したまま離着座の動作を妨げることがない。本ひざ掛けは前布左右に圧着テ−プを取り付け開閉を簡易にすることを特徴としている。
【０００８】上記構成においてひざ掛けの前布部分には大きめのポケットを備えるのが好ましい。このことにより外出時等、手を入れる事により保温にも効果的でありハンカチ等の小物を入れることができる。
【０００９】本車椅子用ひざ掛けに別途収納袋を設ける。これにより未使用時は収納袋に入れ車椅子に設けられているポケット等に収めることで汚すことなく携帯ができる。
【考案の実施形態】
【００１０】以下に本考案の実施形態について図１から図５を参照して詳細に説明する。
【００１１】図１は車椅子用ひざ掛け１の正面図、図２は車椅子用ひざ掛け１の表側正面図３−Ａと３’−Ａ、裏側正面図３−Ｂと３’−Ｂである。
【００１２】車椅子用ひざ掛け１は前布３，３’の上部端にフック２を備え付けてある。これによりフック２を車椅子に引っ掛け固定する。
【００１３】図３に示すように前布３，３’の片方表側３’−Ａともう片方裏側３−Ｂの重な部分に圧着テ−プ５を付けることにより車椅子用ひざ掛け１の開閉が簡易である。
【００１４】ポケット４はハンカチ等の小物入れ、手を入れる事による保温効果を兼ね備えている。
【００１５】図４に示す収納袋６は車椅子用ひざ掛けを収納する。
【実施例】
【００１６】以上のように構成された車椅子用ひざ掛けはフック２を車椅子に引っ掛け固定させ、離着座時には前布３，３’を開閉することで車椅子用ひざ掛けが安定し離着座の動作を妨げることがない。
【図面の簡単な説明】
【００１７】
【図１】本考案に係る車椅子用ひざ掛けを示した正面図である。
【図２】図１の表側を示した正面図と裏側を示した正面図である。
【図３】図１の展開を示した正面図である。
【図４】収納袋を示した正面図である。
【図５】本考案の使用形態を示した正面図である。
【符号の説明】
【００１８】１  車椅子用ひざ掛け本体
２  フック
３，３’  前布
３−Ａ，３’−Ａ  表側
３−Ｂ，３’−Ｂ  裏側
４  ポケット
５  圧着テ−プ
６  収納袋
【図１】
0003115473.tif 000003
【図２】
0003115473.tif 000004
【図３】
0003115473.tif 000005
【図４】
0003115473.tif 000006
【図５】
0003115473.tif 000007
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
車椅子用ひざ掛けであって、前記車椅子用ひざ掛けは上部左右両端にフック２を備え両開きとすることを特徴とする車椅子用ひざ掛け。
【請求項２】
右の前布３と左の前布３′の重なる部分を深くとり右の前布３と左の前布３′の重なった部分に圧着テープ５を付け開閉を簡易とすることを特徴とする請求項１記載の車椅子用ひざ掛け。
【請求項３】
右の前布３にポケット４を備えることを特徴とする請求項１記載の車椅子用ひざ掛け。
(57)【要約】【課題】  本考案は点灯用コードを体裁よく延長すると共に、不使用時には簡単に取り外すか、巻上げることで邪魔にならなくする。また、夜間等の暗室で手探りにてコードを探さなくても、その位置がすぐに分かる。【解決手段】本考案は係止具１の縦の隙間１ａに点灯用コード４ａを挟み込み、そのまま下へさげて点灯用コード４ａの下端部に係止させる。係止具１の下部の穴１ｂには、下端部に発光性物質を塗布したホルダー具３の付いた所望の長さのコード２が取り付けられている。使用しない時は係止具１を少し持ち上げ、隙間１ａから点灯用コード４ａを外せば間単に外すことが出来、外さない時は、小さく巻いてＳ字フックで係止具１に引っ掛けておけば邪魔にならない。また、暗室でもホルダー具３の光でコードの位置がすぐに分かる。【選択図】  図１
0003115475.tif 000002
【実用新案登録請求の範囲】
【請求項１】
照明器具の点灯用コードを延長するための延長コードであって、前記点灯用コードの下端部に係止するための係止具と所望の長さを有するコードと、コードの下端に有りコードを引っ張るためのホルダー具とからなることを特徴とする延長コード。
【請求項２】
前記係止具は、先端がコードの太さよりも少し大き目の穴が空くよう水平にカットされていると共に、縦にコードの太さよりも幅のある隙間を設けて点灯用コード下端に係脱自在とした中空円錐体からなり、その下部に穴があって、それにホルダー具が下端に付いたコードが接続していることを特徴とする請求項１に記載の延長コード。
【請求項３】
前記ホルダー具は、中空円錐体で、先端がコードの太さよりも少し大き目の穴が空くように水平にカットされており、外周縁にそのままで、あるいは１ないし複数の浅い溝を付け、それに夜光塗料又は発光塗料等の発光性物質が塗布されていることを特徴とする請求項１に記載の延長コード。
【考案の詳細な説明】
【技術分野】
【０００１】本考案は、照明器具を点灯・消灯するためのコードの延長器具に関するものである。
【背景技術】
【０００２】一般家庭において、天井から吊り下げて使用する照明器具は、その電源スイッチとしての点灯用コードが垂らされており、使用者はこれを引っ張り照明の点灯・消灯を行う。しかし、天井の高い家庭、幼児、あるいは寝ている人などは当該コードに手が届かない為、別途適当な長さのひもを用意し、これにより点灯用コードを延長して使用していた。
【考案の開示】
【考案が解決しようとする課題】
【０００３】しかし、この延長しているひもは外観が悪く、さらに、部屋の掃除を行う際や行き来する時には、非常に邪魔になる。また、夜間等の暗室においては、ひもの場所が分からず手探りで探さなければならないという問題があった。
本願考案は、上記問題点に着目したものであり、外観も良く、不使用時には簡単に取り外せ、また、夜間等の暗室でもすぐにコードの位置が分かる照明器具のための延長コードを提供することを目的とする。
【課題を解決するための手段】
【０００４】本考案は、照明器具の点灯用コードを延長するための延長コードであって、前記点灯用コードの下端部に係脱自在の係止具と、所望の長さを有するコード、および発光性物質塗布のホルダー具により問題点を解決している。
【考案の効果】
【０００５】上述の様に、本考案の延長コードは、外観も良く、点灯用コード下端部への係脱が容易なため、不使用時には簡単に取り外せ、ホルダー具により暗室でもコードの位置がすぐに分かる。
【考案を実施するための最良の形態】
【０００６】中空円錐形状の係止具に有る縦の隙間に、点灯用コードを挟み込み下へさげるだけで、点灯用コードの下端部に覆い被さる形で係止し、点灯用コードをコード部の長さだけ延長することができる。使用しないときには、係止具を持ち上げ、係止具の隙間から点灯用コードを外せば、簡単に点灯用コードから取り外せる。外さない時は、そのまま小さく巻き上げＳ字フックで係止具に引っ掛けておくことで、邪魔にならないようにすることもできる。
【実施例】
【０００７】以下、添付図面に従って一実施例を説明する。１は耐久性のプラスチック等適宜素材にて形成された中空円錐形状の係止具で、上部を水平にカットして点灯用コード４ａを通すための穴を設けている。この係止具１の縦の隙間１ａに点灯用コード４ａを挟み込み、そのまま下へさげて点灯用コード４ａの下端部に覆い被せる形で係止させる。下部の穴１ｂには、下端部にホルダー具３の付いたコード２を取り付け所望の長さにする。【０００８】本考案の一実施例は上述の如き構成からなるものであり、点灯用コードを延長するために用いる、ことは勿論であるが、暗室でもコードの位置がすぐに分かるので緊急時にも対応できる。
【図面の簡単な説明】
【０００９】
【図１】本考案の延長コードの一実施例を示す正面図である。
【図２】（Ａ）延長コードの係止具を示す正面拡大図である。（Ｂ）延長コードのホルダー具を示す正面拡大図である。
【符号の説明】
【００１０】１  係止具
１ａ隙間
１ｂ穴
２  コード
３  ホルダー具
３ａ発光物質塗布面
４  電灯
４ａ点灯用コード
【図１】
0003115475.tif 000003
【図２】
0003115475.tif 000004
(57)【要約】      （修正有）【課題】洋式便器の便座のフチ裏部を立ち姿勢で容易に見ることが出来るようにする事で汚れ具合の点検がしやすくなる洋式便器の便座フチ裏部を映すミラーを提供する。【解決手段】柄２の先端に鏡３を楕円形状で横長とし斜め上向きに取り付けられ柄２の持ち手部には穴５が開いてフック等に掛けられる構成とする。【選択図】図３
0003115474.tif 000002
【実用新案登録請求の範囲】
【請求項１】
洋式便器の便座フチ裏部を映すミラーであって柄２の先端に鏡３が付いた一体型となっている。
【請求項２】
柄２と鏡の縁４はプラスチック材料により形成されたことを特徴とする請求項１に記載の洋式便器の便座フチ裏部を映すミラー。
【請求項３】
鏡３は斜め上向きで立ち姿勢で便器内にかざすことで便座フチ裏部を映すことができる。
【請求項４】
柄２の持ち手部には穴５が開いてフック等に掛けて収納することができる。
【考案の詳細な説明】
【考案の詳細な説明】
【技術分野】
【０００１】本考案は洋式便器の便座フチ裏部を点検するためのミラーに関する。
【背景技術】
【０００２】従来、洋式便器の便座フチ裏部はブラシ掃除がしにくく汚れがたまりやすい。しかも便座フチ裏部を立ち姿勢で容易に見ることができない。そのため汚れ具合や掃除をしたあとの汚れの落ち具合を点検するのが困難である。
【考案の開示】
【考案が解決しようとする課題】
【０００３】このため、しゃがんだりあるいは便器に顔を近づけて覗き込まなければ便座フチ裏部を見る事が出来ない。このため無理な姿勢になり、不衛生でもある。【０００４】したがって本考案の解決すべき技術的課題は、便座フチ裏部を立った姿勢で点検ができるようにすることである。
【課題を解決するための手段及び効果】
【０００５】本考案に係る洋式便器の便座フチ裏部を映すミラーは上述の技術的課題を解決するため以下のように構成された便座フチ裏部を映すミラーで立ち姿勢で見ることができるようにしたことを特徴としている。すなわち、この洋式便器の便座フチ裏部を映すミラーは柄とその先端に鏡を設けられ構成されている。
【０００６】上記構成において柄の先端に取り付けられている鏡部分は斜め上向きとなっている。このことにより、便座フチ裏部の汚れを点検するためしゃがんだり、便器に顔を近づけることもなく、この洋式便器の便座フチ裏部を映すミラーを便器内にかざすことで立ち姿勢で便座フチ裏部の状況を点検することができ大変便利である。
【０００７】上記構成において柄本体と鏡の縁はプラスチック材料にすることが好ましい。そうすることで軽量であるため持っても負担がかからない。柄の持ち手部には穴を開けフック等に掛けて収納することができる。
【０００８】また上記構成において鏡は横幅広とすることが好ましい。そうすることで便座フチ裏部を広く映し出すことができ点検しやすくなる。
【考案を実施するための最良の形態】
【０００９】以下に、本考案の実施形態について図１〜図３を参照して詳細に説明する。【００１０】図１は洋式便器の便座フチ裏部を映すミラーの正面図、図２は洋式便器の便座フチ裏部を映すミラーの縦断面図である。洋式便器の便座フチ裏部を映すミラーは本体１と柄２と鏡３と鏡の縁４とからなり、柄と鏡の縁はプラスチック材料から成形されている。【００１１】鏡３は、楕円形状で横長に取り付けるようになっている。【００１２】柄２の持ち手には、本体１がフック等に掛けられるように穴５が開いている。
【実施例】
【００１３】以上のように構成された洋式便器の便座フチ裏部を映すミラーは柄２を持ち、鏡３を便器内に入れ、便座フチ裏部を映し出すことで汚れ具合を点検することができる。
【図面の簡単な説明】
【００１４】
【図１】本考案に係る洋式便器の便座フチ裏部を映すミラーの正面図である。
【図２】図１洋式便器の便座フチ裏部を映すミラーの縦断面図である。
【図３】本考案の実施例を示す断面図である。
【符号の説明】
【００１５】１．洋式便器の便座フチ裏部を映すミラー本体
２．柄
３．鏡
４．鏡の縁
５．フック掛け穴
【図１】
0003115474.tif 000003
【図２】
0003115474.tif 000004
【図３】
0003115474.tif 000005
【手続補正書】
【提出日】平成17年7月11日(2005.7.11)
【手続補正１】
【補正対象書類名】実用新案登録請求の範囲
【補正対象項目名】全文
【補正方法】変更
【補正の内容】
【実用新案登録請求の範囲】
【請求項１】
洋式便器の便座フチ裏部を映すミラ−であって柄２の先端に鏡３が付いた一体型の形状を有する洋式便器の便座フチ裏部を映すミラ−。
【請求項２】
柄２と鏡の縁４はプラスチック材料により形成されたことを特徴とする請求項１記載の洋式便器の便座フチ裏部を映すミラ−。
【請求項３】
柄２の先端部の鏡３は斜め上向きの形状を有し、立ち姿勢で柄２を持ち鏡３を便器内にかざすことにより便座フチ裏部を映すことができることを特徴とする請求項１記載の洋式便器の便座フチ裏部を映すミラ−。
【請求項４】
柄２の持ち手部には穴５が開いている形状を有し、穴５をフック等に挿しかけて収納できることを特徴とする請求項１記載の洋式便器の便座フチ裏部を映すミラ−。
(57)【要約】      （修正有）【課題】本考案は便器使用後の水留槽の水流しを手の不自由な人のために、手を使用せずに左右どちらでも使用できるように足踏構造を設け、水流しされる便器水流し装置を提供する。【解決手段】足踏みペダルにワイヤーケーブルを設け、便器水留槽開閉バルブレバー（ハンドル）を操作して水流しできるようにする。【選択図】図１
0003115456.tif 000002
【実用新案登録請求の範囲】
【請求項１】
便器水留槽開閉バルブレバー（ハンドル）にワイヤーケーブルを設け、足踏みペダルに連結構造を特徴とする便器水流し装置。
【請求項２】
便器水留槽開閉バルブレバー（ハンドル）にワイヤーケーブルを設け、手動レバーに連結構造を特徴とする便器水流し装置。
【考案の詳細な説明】
【技術分野】
【０００１】本考案は便器に関する。
【背景技術】
【０００２】便器の水留槽は後方に設置されて、水流し開閉ハンドル、押し付けボタン構造が古来より知られている。
【考案の開示】
【考案が解決しようとする課題】
【０００３】しかしながら使用後の便器に溜まった便を流しに、一時便器から立ち上がり、流水ハンドル押し付けボタンを作動するその間、便の臭いを吸いながら使用することに欠点がある。【０００４】また、高齢者、足腰の弱い人が便器に座って、一回に用事を終わらせることに欠点がある。
【課題を解決するための手段】
【０００５】本考案は便器水留槽開閉構造に、ワイヤーケーブルを設け、便器前方左右側面に足踏構造、取手、ハンドルに連結、手動構造で便器水流し開閉構造とし、解決手段とした。
【考案を実施するための最良の形態】
【０００６】図１に示すように、便器前方左右の足元に、踏みペダルを設け、ワイヤーケーブルを連結、水留槽開閉バルブレバー（ハンドル）と連結される。【０００７】図１、図２、足踏み開閉構造レバー、手動レバーとワイヤーケーブルを開閉バルブレバー（ハンドル）と連結構造の形態。
【考案の効果】
【０００８】本考案に係る便器水流し装置は、便器で用事を終わり、便器に便が溜まって臭いがするが、用事が終わった時点で水流しができ、臭いも吸うこともなく、気分爽快に使用できる。
【０００９】使用に合わせた量の水流ができ、資源（水）の節約もできる。
【００１０】手に障害があり、手で使用できない方に足踏みペダルを左右に設けることで、左右どちらで踏み付けても水流しができ、使用可能とした。
【００１１】手動使用時、ワイヤーケーブル使用により色々な位置、場所に取り付け使用できる。
【図面の簡単な説明】
【図１】本考案に係る便器水流し装置の工程図である。
【図２】本考案に係る足踏みペダルの水流し装置の一部断面図である。
【図３】本考案に係る手動式レバーハンドルと水流し装置の一部断面図である。
【符号の説明】
１    便器
２    足踏みペダル
３    ワイヤーケーブル
４    開閉レバー（ハンドル）
５    カバー（ボックス）
６    手動開閉レバー（ハンドル）
７    コイルスプリング
【図１】
0003115456.tif 000003
【図２】
0003115456.tif 000004
【図３】
0003115456.tif 000005
【手続補正書】
【提出日】平成17年3月14日(2005.3.14)
【手続補正１】
【補正対象書類名】実用新案登録請求の範囲
【補正対象項目名】全文
【補正方法】変更
【補正の内容】
【実用新案登録請求の範囲】
【請求項１】
便器水溜槽開口レバーハンドルにワイヤーケーブルを設け手動レバーハンドルで操作することを特徴とする便器水流し装置。
【請求項２】
便器水溜槽開口レバーハンドルにワイヤーケーブルを設け足踏み（ペダル）操作を特徴とする便器水流し装置。
【手続補正書】
【提出日】平成17年7月19日(2005.7.19)
【手続補正１】
【補正対象書類名】実用新案登録請求の範囲
【補正対象項目名】全文
【補正方法】変更
【補正の内容】
【実用新案登録請求の範囲】
【請求項１】
開閉装置をワイヤーケーブルで操作することを特徴とする便器水流し装置。
(57)【要約】      （修正有）【課題】最近の暴力犯罪や強盗犯罪等の監視、発生した場合の犯行者の確認、犯罪抑止効果の向上等を図るため、人間の目線の高さに置いた防犯カメラの提供。【解決手段】人間の目線の高さに合わせた、防犯カメラ１を常に人の見える所に置いて使用できるよう、防犯カメラ１を装着したスタンドの設置を特徴とし、防犯カメラ１が容易に破壊されたり、持ち去られたりしないよう、かつ、カメラレンズに支障とならない、堅固な防護材２で覆い、舗床に固定金具５で固定するスタンドにしようとするものである。【選択図】図１
0003115459.tif 000002
【実用新案登録請求の範囲】
【請求項１】
防犯カメラ１を装着したスタンド
【考案の詳細な説明】
【考案の詳細な説明】
【産業上の利用分野】
【００１】この考案は、高い所に設置している防犯カメラを、人の高さ程度の低い位置に、設置するための器具に関するものである。
【背景技術】
【００２】従来、防犯カメラは、カメラそれ自体、人によって壊される恐れもあるところから、容易に人手の届かない、高所に設置しなければならない状況にあり、人物の特定、機器の保守・維持管理に不便があった。
また、設置位置が高所のため、撮影された画像が適切にならないなど、走り去った人物探索に支障がでることもあった。
【考案が解決しようとする課題】
【００３】本考案は、人物の特定、機器の維持管理を容易にできるようにするため、高所にしか設置していない防犯カメラを、人間の目線の高さに合わせた防犯カメラとするよう、防犯カメラを装着したスタンドを設置することとし、スタンドに装着した防犯カメラが容易に破壊されたり、持ち去られたりすることのないよう、カメラレンズに支障とならない、堅固な防護材で覆い、かつ舗床に固定できるスタンドにしようとするものである。
【課題を解決するための手段】
【００４】いまその解決手段を図面に追いながら説明すれば、
（イ）装着した防犯カメラ１を、金属又は木製の棒等でたたいても壊れない防護材２で覆う。
（ロ）装着した防犯カメラ１を、人の目線の高さになるように支柱３を設ける。
（ハ）支柱３を安定させるため、台座４を設ける。
（ニ）台座４は、固定金具５で舗床に固定する。
【作用】
【００５】人の目線の高さに、防犯カメラ１を装着したスタンドを設置することにより、人物の顔を真正面、または真後ろから監視できるようになるので、逃げる方向などの確認も容易になるほか、犯罪の抑止も図られる。
【実施例】
【００６】本考案は、以上のように製作したものであるから、これの実施にあたっっては、店舗にあっては、防犯カメラ１を装着したスタンドを、レジ係員の横に置いたり、入り口に置くことにより、来店者、退店者の動向などの把握を容易にし、かつ犯罪抑止の効果を期待することができる。
なお、本考案の主体は、防犯カメラの設置に関することであるところから、防犯カメラ１と制御装置との接続等については省略する。
【考案の効果】
【００７】以上のように、人間の目線の高さに、防犯カメラ１を装着したスタンドを設置することにより、犯罪の抑止又は犯行が行われた場合の、犯行者の行き先確認が適切に把握できるなど、社会不安解消に大きな効果をもたらす。
【図面の簡単な説明】
【図１】防犯カメラを装着したスタンドの断面図
【符号の説明】
１は防犯カメラ
２は防護材
３は支柱
４は台座
５は固定金具
【図１】
0003115459.tif 000003